(57)【要約】      （修正有）【課題】エアースプレーガンの噴霧パターン方向を決める空気キャップの取付け構造を、噴霧パターンを水平又は垂直に素早く、簡単に切り替えることができるスプレーガンキャップの取付位置設定装置を提供する。【解決手段】取り付けるガン本体の先端部面と対面する空気キャップの内側に、中心から同心円周上に２本のピンＡ１，Ａ２を設け、対応するガン本体の先端部面で前記同心円とほぼ一致する円周上にピンＢを設け、これらのピンＡ１，Ａ２とピンＢは空気キャップを取り付けたとき互いに接触しあう長さとして空気キャップの回転を制限し、本体のピンＢに対し空気キャップのピンＡ１（Ａ２）の一方により回転が規制される位置と他方のピンＡ２（Ａ１）により回転が規制される位置との回転角度が９０度の範囲になるように、それぞれのピンが位置決められる。【選択図】図４
0003151151.tif 000002
【実用新案登録請求の範囲】
【請求項１】
取り付けるスプレーガンの本体の先端部面１１と対面する空気キャップ３の内側に、中心から同心円周上に２本のピンＡを設け、対応する前記本体の先端部面で前記同心円とほぼ一致する円周上にピンＢを設け、これらのピンＡとピンＢは空気キャップを取り付けたとき互いに接触し回転を阻止する長さとして空気キャップの回転を制限し、前記本体のピンＢに対し空気キャップの前記ピンＡの一方により回転が規制される位置と、他方の前記ピンＡにより回転が規制される位置との回転角度が９０度の範囲になるように、それぞれのピンが位置決めされたスプレーガンキャップの取り付け位置設定装置。
【考案の詳細な説明】
【技術分野】
【０００１】
本考案は、圧縮エアを用いて塗料等を霧化し、被塗物に吹付塗装を行うエアスプレーガンの霧化用空気キャップの位置決めの容易化に関するものである。
【背景技術】
【０００２】
圧縮エアを用いて塗料を霧化し、吹付塗装を行うスプレーガンは、通常、噴霧パターンを楕円もしくは長円形に広げて噴霧し、被塗装物に対して効率よく均一に塗面を形成するように構成されている。このためスプレーガンを操作あるいは塗装機等に取り付けて移動させる場合は、広がる方向に対して直角の方向にスプレーガンを移動させて塗装することが行われる。
【０００３】
そしてスプレーガンの操作性もしくは移動の簡素化のため、通常のスプレーガンは、空気キャップを
回転可能にしており、広がりの方向を変えることができる。一般にはほとんどが、広がりの方向を水平もしくは垂直にすることによって使用され、このいずれかに空気キャップの向きを回転させて位置決めをして使用されている。作業者は被塗装物の塗装面の形状に応じて、効率的に塗装を行なうため主に水平に移動して塗装する場合は垂直に広がるパターンとなるように空気キャップの向きを設定し、垂直に移動させた方が良い場合は水平に広がるパターンとなるように取り付け位置を替えることになる。
【０００４】
取り付け位置は正しく設定されないと塗装の仕上がりに影響し、正確に取り付けることが望ましい。
特に自動塗装においては、塗装品質の維持安定化を達成するために、スプレーガンを搭載する自動塗装装置や塗装ロボット等によって正確な作動を行い、被塗装物に対して正確に向けられたスプレーガンが常に安定した噴霧を行うことが必要になってくる。
【０００５】
このため設定位置を正確に素早く可能にする手段として、必要に応じて空気キャップにピンを設け、取り付けたときに、対応するスプレーガン本体側に９０度の位相角で開けられたいずれかの孔に差し込むことで正確に位置決めが可能にした構成（特許文献１参照）や、スプレーガン本体側にピンを設け、対応する空気キャップに９０度の回転位置に前記ピンに係合する溝を設けるなどの構成（特許文献２参照）が採りいれられていた。
【先行技術文献】
【特許文献】
【０００６】
【特許文献１】実開昭５８−６３０６１号公報
【特許文献２】登録実用新案公報  第３１１０７５３号公報
【考案の概要】
【考案が解決しようとする課題】
【０００７】
このような方法は、空気キャップ取り付け位置の正確性を期すための構成として、その機能を果たしているが、作業者が直ちにスプレーパターンの方向を変更するには空気キャップを十分に緩めるか取り外した上で再びピンと孔もしくは溝に合わせて取り付け直す必要があり、設定に時間を要する構成であった。このために作業の中断が余儀なくされ、生産性に支障をきたすことになっていた。
【０００８】
このような場合にも、スプレー塗装の作業をほとんど中断することなく、空気キャップによる噴霧パターンの向きを一瞬で且つ正確に変更し、直ちに被塗装物に対応した噴霧パターンによって作業を継続できる機能が望まれることになる。本発明は、エアスプレーガンの噴霧パターン方向を決める空気キャップの取付け構造を、噴霧パターンを水平又は垂直に素早く、且つ正確に切り替えることができるようにするものである。
【課題を解決するための手段】
【０００９】
本発明は取り付けるガン本体の先端部面と対面する空気キャップの内側に、中心から同心円周上に２本のピンＡを設け、対応するガン本体の先端部面で前記同心円とほぼ一致する円周上にピンＢを設け、これらのピンＡとピンＢは空気キャップを取り付けたとき互いに回転方向に当たる長さとして空気キャップの回転を制限し、本体のピンＢに対し空気キャップのピンＡの一方により回転が規制される位置と、他方のピンＡにより回転が規制される位置との回転角度が９０度の範囲になるように、それぞれのピンを位置決めする。
本体のピンＢは予め噴霧パターンが垂直もしくは水平に固定される位置に設けられる。
【考案の効果】
【００１０】
上記の構成によれば、ガン本体のピンＢが、空気キャップの２つのピンの間になるように取り付けることによって、空気キャップは一方に回転した時にピンＡとピンＢが当たり停止した位置と、その逆方向に回転させた時に停止した位置とでは９０度の違いで回転が規制され、水平と垂直の噴霧パターンを使い分けることができる。
【００１１】
スプレーが使いやすい状態で水平と垂直にする位置は、予めスプレーガン本体のピンＢによって設定することができ、作業者は目で水平位置や垂直位置を確認する必要も無く、いずれかの位置に素早く変更することができ設定が極めて容易になる。
また空気キャップ、本体ともに必要箇所に孔を開け、ピンを立てるだけで済み、加工コストを押さえることができる。
【図面の簡単な説明】
【００１２】
【図１】スプレーガンの本体先端部分に取り付けられた空気キャップの断面図
【図２】図１の空気キャップを内側から見た図
【図３】図２のＤ−Ｄ断面矢視図
【図４】図２の空気キャップを時計回りに９０度回転させた時の状態図
【考案を実施するための形態】
【００１３】
塗装用エアスプレーガンは、中心から噴出する塗料に対して、圧縮エアにより噴霧化するもので、通常は中心部の噴霧エアと別に、その両側から調整されたエアを噴出し噴霧のパターン形状を扁平に押し広げ、長円形もしくは楕円形の噴霧パターンを形成する構成になっている。図１はその先端部分のみを表し、本体１の中心部に塗料ノズル２が設置され、その先端に空気キャップ３がカバー４により、着脱自在に取り付けられる。空気キャップ３は、中心部の噴霧空気口５とその両側に配置され突出した角部６に設けられた調整空気口７を有している。これらの構成は多くの例で示された一般的なエアスプレーガンの噴霧化装置として知られているものである。
【００１４】
噴霧パターンの向きは調整空気口７を有する角部６の向きを図のように垂直にすると、両側より調整空気が中心の噴霧流に衝突し、上下方向に押し広げるため噴霧パターンは水平方向に伸びる形になる。同様に角部６を回転させその向きを水平にするとパターンは垂直になる。この角部６の回転はカバー４がきつく締まっていると廻しにくいことがあり、カバー４を少し緩めて廻さなければならない場合もあるが、このような場合カバー４の鍔の部分にパッキン８を介在させ回転しやすくした構成とすることで、カバー４を緩めることなく廻すことができる。
【００１５】
本案では空気キャップ３の内側、本体１の前面１１に対応する箇所に２箇所のピンＡ１、Ａ２を設けている。２つのピンＡは、空気キャップ３の中心に対して同じ円周上にあり、９０度の角度よりピンの径に応じて若干広げられた位置に設けられている。一方本体１側には前記円周とほぼ一致する円周上にピンＢが設けられている。これらのピンは先端が突出した状態で、打ち込み等の手段によって取り付けられている。その位置は、図４に示されるように本体１に空気キャップ３を取り付けたときにピンＡの間にピンＢが位置し、空気キャップ３を回転したときにピンＡがピンＢに当たり、回転が阻止されるよう（軸方向の長さが重なり合う部分Ｃが作られるよう）に形成されている。
【００１６】
またピンＡとピンＢの位置関係は、図４に示されるように、本体のピンＢは鎖線で示される位置に固定され、空気キャップ側のピンＡが回転によって移動される。図４の状態は、実線で示すピンＡ１が矢印の回転によってピンＢに当たり、回転を規制された位置を示している。この場合前記調整空気口７は横方向に配置されており、噴霧パターンは垂直になる状態を示している。
【００１７】
この位置から反時計回りに回転させれば、ピンＡ２がピンＢに当たる点線の位置で停止することになる。このときの回転角度が９０度になるようにピンＡ１とピンＡ２の位置が設定される。すなわちピンＡ１とピンＡ２の間隔は９０度に、配置される円周上でのピンＡとピンＢの直径分に該当する角度（Ｘ）を加えた角度に設けられることになる。これによって点線の位置と実線の位置が正確に９０度を維持し、水平垂直の位置で空気キャップ３の回転が規制されることになる。
【００１８】
ピンＢの位置は実施例に限定されること無く、他に不都合の生じない位置に適宜設定でき、その位置によって空気キャップ３のピンＡの位置が設定されることになる。すなわち上記回転が規制される位置が、通常スプレーガンが使用される位置で水平もしくは垂直の噴霧がなされる空気キャップの回転位置になるように設定されればよい。更に本実施例では、本体側に固定されるピンを１つとしたが、これを２つとして、空気キャップ側を１つのピンで構成しても同様の効果が得られる。
【符号の説明】
【００１９】
１  本体
３  空気キャップ
４  カバー
５  噴霧空気口
６  角部
７  調整空気口
11  先端部面
Ａ1、Ａ２、Ｂ  ピン
【図１】
0003151151.tif 000003
【図２】
0003151151.tif 000004
【図３】
0003151151.tif 000005
【図４】
0003151151.tif 000006